【手続補正書】
【提出日】平成30年5月30日(2018.5.30)
【手続補正１】
【補正対象書類名】特許請求の範囲
【補正対象項目名】全文
【補正方法】変更
【補正の内容】
【特許請求の範囲】
【請求項１】
画像の少なくとも一部を符号化または復号する方法であって、前記画像が高ダイナミックレンジ色空間で定義され、前記方法が、前記画像の前記少なくとも一部のブロックに対して、
前記ブロックの予測のための参照サンプルを前記ブロックのローカル低ダイナミックレンジ色空間に変換することであって、前記参照サンプルが、それらの関連付けられたローカル低ダイナミックレンジ色空間において既に再構築されており、前記ブロックの前記ローカル低ダイナミックレンジ色空間が、前記ブロックの代表的な輝度値に基づく、ことと、
低ダイナミックレンジ画像に適用可能な符号化または復号技法を使用する前記ブロックの符号化または復号のために、前記変換された参照サンプルを使用して前記ブロックを予測することと
を含み、
前記ブロックのローカル低ダイナミックレンジ色空間への参照サンプルの前記変換が、
前記参照サンプルと関連付けられたローカル知覚色空間におけるスケーリングされた参照サンプルに前記参照サンプルをスケーリングすることと、
前記スケーリングされた参照サンプルを前記高ダイナミックレンジ色空間における再構築された高ダイナミックレンジ参照サンプルに変換することと、
前記再構築された高ダイナミックレンジ参照サンプルを前記ブロックのローカル知覚色空間におけるマッピングされた参照サンプルにマッピングすることと、
前記マッピングされた参照サンプルのダイナミックレンジを前記ブロックの前記ローカル低ダイナミックレンジ色空間に低減することにより、前記変換された参照サンプルを得ることと
を含む、方法。
【請求項２】
前記スケーリングされた参照サンプルの前記変換が、前記参照サンプルとそれぞれ関連付けられた共通の代表的な輝度成分に依存し、共通の輝度成分の各々が、前記参照サンプルが属する前記ブロックを構成する前記サンプルの前記輝度を表す、請求項１に記載の方法。
【請求項３】
前記再構築された高ダイナミックレンジサンプルの前記マッピングが、前記ブロックと関連付けられた共通の代表的な輝度成分値に依存する、請求項１または２に記載の方法。
【請求項４】
参照サンプルに対する前記共通の代表的な輝度成分値が、前記参照サンプルが属する画像ブロックの画像サンプルの前記輝度値に基づいて得られる、請求項２または３に記載の方法。
【請求項５】
前記ブロックに対する前記共通の代表的な輝度成分値が、前記ブロックの画像サンプルの前記輝度値に基づいて得られる、請求項３または４に記載の方法。
【請求項６】
少なくとも１つの符号化パラメータを含む符号化パラメータセットを適用することによって低ダイナミックレンジ画像に適用可能な符号化プロセスを使用して前記ブロックを符号化することと、
前記符号化されたブロックを前記高ダイナミックレンジ色空間において再構築することと、
前記高ダイナミックレンジ色空間における前記符号化されたブロックに対するレート歪みコストを評価することと、
前記評価されたレート歪みコストに基づいて前記ブロックの前記符号化プロセスのために前記符号化パラメータセットを調整することと
をさらに含む、請求項１〜５のいずれか一項に記載の方法。
【請求項７】
前記レート歪みコストを評価することが、前記符号化されるブロックの前記共通の代表的な成分値の符号化と関連付けられたレートを評価することを含む、請求項５に従属する場合の請求項６に記載の方法。
【請求項８】
前記ブロックに対して、低ダイナミックレンジローカル色空間における少なくとも１つのローカル残差輝度成分を得ることであって、前記少なくとも１つのローカル残差輝度成分が、オリジナルの画像の対応する輝度成分と前記ブロックの前記共通の代表的な輝度値との差分に相当する、ことを含む、請求項７に記載の方法。
【請求項９】
前記ブロックに対して、ローカル知覚空間における少なくとも１つの画像部分を得ることであって、前記少なくとも１つの画像部分が、前記ブロックの前記少なくとも１つの共通の代表的な輝度値に従って正規化された前記画像部分の前記ローカル残差輝度成分または色成分に相当する、ことをさらに含む、請求項８に記載の方法。
【請求項１０】
前記レート歪みコストを評価することが、前記少なくとも１つの画像部分の符号化と関連付けられたレートを評価することを含む、請求項９に記載の方法。
【請求項１１】
前記レート歪みコストを評価することが、前記高ダイナミックレンジ色空間における前記符号化されたブロックの再構築と関連付けられた歪みを評価することを含む、請求項６〜１０のいずれか一項に記載の方法。
【請求項１２】
前記ブロックの前記ローカル知覚色空間において再構築された残差画像部分のサンプルとオリジナルのテクスチャのサンプルおよび前記画像の対応するサンプルとの間のバーチャルロスレス洗練を実行することをさらに含む、請求項１〜１１のいずれか一項に記載の方法。
【請求項１３】
画像の少なくとも一部を符号化する符号化デバイスであって、前記画像が高ダイナミックレンジで定義され、前記符号化デバイスが、
前記画像のブロックの予測のための参照サンプルを前記ブロックのローカル低ダイナミックレンジ色空間に変換する参照サンプル変換器であって、前記参照サンプルが、それらの関連付けられた低ダイナミックレンジ空間において既に再構築されており、前記ブロックの前記ローカル低ダイナミックレンジ色空間が、前記ブロックの代表的な輝度値に基づく、参照サンプル変換器と、
前記変換された参照サンプルを使用して前記ブロックを予測する予測モジュールと、
低ダイナミックレンジ画像に適用可能な符号化技法を使用して前記ブロックを符号化するエンコーダと
を含み、
前記参照サンプル変換器が、
前記参照サンプルと関連付けられたローカル知覚空間におけるスケーリングされた参照サンプルに前記参照サンプルをスケーリングすることと、
前記スケーリングされた参照サンプルを高ダイナミックレンジ色空間における再構築された高ダイナミックレンジ参照サンプルに変換することと、
前記再構築された高ダイナミックレンジ参照サンプルを前記ブロックのローカル知覚空間におけるマッピングされた参照サンプルにマッピングすることと、
前記マッピングされた参照サンプルのダイナミックレンジを前記ブロックの前記ローカル低ダイナミックレンジ色空間に低減することにより、前記変換された参照サンプルを得ることと
を行うように構成されている、符号化デバイス。
【請求項１４】
画像の少なくとも一部を復号する復号デバイスであって、前記画像が高ダイナミックレンジで定義され、前記復号デバイスが、
低ダイナミックレンジ画像に適用可能な復号技法を使用して前記画像のブロックを復号するデコーダと、
前記ブロックの予測のための参照サンプルを前記ブロックのローカル低ダイナミックレンジ色空間に変換する参照サンプル変換器であって、前記参照サンプルが、それらの関連付けられた低ダイナミックレンジ空間において既に再構築されており、前記ブロックの前記ローカル低ダイナミックレンジ色空間が、前記ブロックの代表的な輝度値に基づく、参照サンプル変換器と、
前記変換された参照サンプルを使用して前記ブロックを予測する予測モジュールと
を含み、
前記参照サンプル変換器が、
前記参照サンプルと関連付けられたローカル知覚空間におけるスケーリングされた参照サンプルに前記参照サンプルをスケーリングすることと、
前記スケーリングされた参照サンプルを高ダイナミックレンジ色空間における再構築された高ダイナミックレンジ参照サンプルに変換することと、
前記再構築された高ダイナミックレンジ参照サンプルを前記ブロックのローカル知覚空間におけるマッピングされた参照サンプルにマッピングすることと、
前記マッピングされた参照サンプルのダイナミックレンジを前記ブロックの前記ローカル低ダイナミックレンジ色空間に低減することにより、前記変換された参照サンプルを得ることと
を行うように構成されている、復号デバイス。
【請求項１５】
プログラム可能装置にロードされ、かつ前記プログラム可能装置によって実行されるときに、請求項１〜１２のいずれか一項に記載の方法を実装するための一連の命令を含む、コンピュータプログラム。
【手続補正２】
【補正対象書類名】明細書
【補正対象項目名】０１４９
【補正方法】変更
【補正の内容】
【０１４９】
多くのさらなる変更形態および変形形態は、前述の例示的な実施形態を参照する際にそれら自体を当業者に示唆し、前述の例示的な実施形態は、単なる例示として提供され、本発明の範囲を限定することを意図せず、本発明の範囲は、添付の請求項によってのみ決定される。特に、異なる実施形態からの異なる特徴は、適切な場合に交換可能であり得る。
［付記１］
高ダイナミックレンジ画像の少なくとも一部を符号化または復号する方法であって、前記画像が高ダイナミックレンジ色空間で定義され、前記方法が、前記画像の前記少なくとも一部のブロックに対して、
前記ブロックの予測のための参照サンプルを前記予測されるブロックのローカルＬＤＲ色空間に変換することであって、前記参照サンプルが、それらの関連付けられたローカルＬＤＲ色空間において既に再構築されており、前記予測されるブロックの前記ローカルＬＤＲ色空間が、前記ブロックの代表的な輝度値に基づく、ことと、
ＬＤＲ画像に適用可能な符号化または復号技法を使用する前記ブロックの符号化または復号のために、前記変換された参照サンプルを使用して前記ブロックを予測することと
を含む、方法。
［付記２］
各参照サンプルの前記変換が、
それらのそれぞれの再構築されたＬＤＲ色空間から高ダイナミックレンジのローカル知覚色空間に前記参照サンプルをスケーリングすることと、
前記スケーリングされた参照サンプルを前記画像のオリジナルのＨＤＲ知覚色空間において再構築することと、
前記再構築されたスケーリングされた参照サンプルを前記予測されるブロックの前記ローカル知覚色空間にマッピングすることと、
前記変換された参照サンプルの前記ダイナミックレンジを前記予測されるブロックの符号化／復号のために使用される前記ＬＤＲ色空間に低減することと
を含む、付記１に記載の方法。
［付記３］
前記オリジナルのＨＤＲ空間における前記スケーリングされた参照サンプルの前記再構築が、前記参照サンプルとそれぞれ関連付けられた共通の代表的な輝度成分に依存し、共通の輝度成分の各々が、前記参照サンプルが属する前記ブロックを構成する前記サンプルの前記輝度を表す、付記２に記載の方法。
［付記４］
前記予測されるブロックのローカルＨＤＲ空間への前記再構築されたスケーリングされたサンプルの前記マッピングが、前記予測されるブロックと関連付けられた共通の代表的な輝度成分値に依存する、付記２または３に記載の方法。
［付記５］
参照サンプルに対する前記共通の代表的な輝度成分値が、前記参照サンプルが属する画像ブロックの画像サンプルの前記輝度値に基づいて得られる、付記３または４に記載の方法。
［付記６］
前記予測されるブロックに対する前記共通の代表的な輝度成分値が、前記ブロックの画像サンプルの前記輝度値に基づいて得られる、付記４または５に記載の方法。
［付記７］
少なくとも１つの符号化パラメータを含む符号化パラメータセットを適用することによって低ダイナミックレンジ（ＬＤＲ）画像に適用可能な符号化プロセスを使用して、前記画像の前記少なくとも一部の前記ブロックを符号化することと、前記符号化されたブロックを前記高ダイナミックレンジの空間において再構築することと、前記高ダイナミックレンジの空間における前記符号化されたブロックに対するレート歪みコストを評価することと、前記評価されたレート歪みコストに基づいて前記ブロックの前記符号化プロセスのために前記符号化パラメータセットを調整することとをさらに含む、付記１〜６のいずれか一項に記載の方法。
［付記８］
前記レート歪みコストを評価することが、前記符号化されるブロックの前記共通の代表的な成分値の符号化と関連付けられたレートを評価することを含む、付記６に従属する場合の付記７に記載の方法。
［付記９］
前記予測されるブロックに対して、低ダイナミックレンジのローカル空間における少なくとも１つのローカル残差輝度成分を得ることであって、前記少なくとも１つのローカル残差輝度成分が、前記オリジナルの画像の対応する輝度成分と前記ブロックの前記共通の代表的な輝度値との差分に相当する、ことを含む、付記８に記載の方法。
［付記１０］
前記ブロックに対して、ローカル知覚空間における少なくとも１つの画像部分を得ることであって、前記少なくとも１つの画像部分が、前記ブロックの前記少なくとも１つの共通の代表的な輝度値に従って正規化された前記画像部分の前記ローカル残差輝度成分または色成分に相当する、ことをさらに含む、付記９に記載の方法。
［付記１１］
前記レート歪みコストを評価することが、前記少なくとも１つの画像部分の符号化と関連付けられたレートを評価することを含む、付記１０に記載の方法。
［付記１２］
前記レート歪みコストを評価することが、前記高ダイナミックレンジの知覚空間における前記符号化されたブロックの再構築と関連付けられた歪みを評価することを含む、付記７〜１１のいずれか一項に記載の方法。
［付記１３］
ローカル知覚空間において再構築された残差画像部分のサンプルとオリジナルのテクスチャのサンプルおよび前記画像の対応するサンプルとの間のバーチャルロスレス洗練を実行することをさらに含む、付記１〜１２のいずれか一項に記載の方法。
［付記１４］
輝度成分および色差メトリックを有する知覚空間において定義された高ダイナミックレンジの画像の少なくとも一部を符号化するための符号化デバイスであって、
前記画像のブロックの予測のための参照サンプルを前記予測されるブロックのローカルＬＤＲ色空間に変換するための参照サンプル変換器であって、前記参照サンプルが、それらの関連付けられたＬＤＲ空間において既に再構築されており、前記ブロックの前記ローカルＬＤＲ色空間が、前記ブロックの代表的な輝度値に基づく、参照サンプル変換器と、
前記変換された参照サンプルを使用して前記ブロックを予測するための予測モジュールと、
ＬＤＲ画像に適用可能な符号化技法を使用して前記ブロックを符号化するためのエンコーダと
を含む、符号化デバイス。
［付記１５］
輝度成分および色差メトリックを有する知覚空間において定義された高ダイナミックレンジの画像の少なくとも一部を復号するための復号デバイスであって、
ＬＤＲ画像に適用可能な復号技法を使用して画像ブロックを復号するためのデコーダと、
前記ブロックの予測のための参照サンプルを前記予測されるブロックのローカルＬＤＲ色空間に変換するための参照サンプル変換器であって、前記参照サンプルが、それらの関連付けられたＬＤＲ空間において既に再構築されており、および前記ブロックの前記ローカルＬＤＲ色空間が、前記ブロックの代表的な輝度値に基づく、参照サンプル変換器と、
前記変換された参照サンプルを使用して前記ブロックを予測するための予測モジュールと
を含む、復号デバイス。
［付記１６］
前記参照サンプル変換器が、
それらのそれぞれの再構築されたＬＤＲ空間から高ダイナミックレンジのローカル知覚空間に前記参照サンプルをスケーリングすることと、
前記スケーリングされた参照サンプルを前記画像のオリジナルのＨＤＲ空間において再構築することと、
前記再構築されたスケーリングされた参照サンプルを前記予測されるブロックの前記ローカル知覚空間にマッピングすることと、
前記変換された参照サンプルの前記ダイナミックレンジを前記予測されるブロックの符号化／復号のために使用される前記ＬＤＲ空間に低減することと
を行うように構成される、付記１４に記載の符号化デバイスまたは付記１５に記載の復号デバイス。
［付記１７］
プログラム可能装置用のコンピュータプログラム製品であって、プログラム可能装置にロードされ、かつ前記プログラム可能装置によって実行されるときに、付記１〜１３のいずれか一項に記載の方法を実装するための一連の命令を含む、コンピュータプログラム製品。